(57)【特許請求の範囲】
【請求項１】
双胴型とした船体の２つの胴体部間に形成した開口部に、ベルトの表面部に多数のレーキを所要の配列ピッチで取り付けた掻き上げコンベヤを通して一端部を船体上に位置させて他端部を没水させるようにし、船体の船首側甲板上に設置した支持台に、上記掻き上げコンベヤの上端側を上下方向へ回動自在に支持させ、且つ該掻き上げコンベヤの下端側を海底まで降ろして、掻き上げコンベヤの下端部に、該掻き上げコンベヤの下端部を海底から一定の高さ位置に保持させるためのスキー板を揺動自在に取り付けて上記レーキが海底に直接接しないようにし、船体とともに掻き上げコンベヤがスキー板と一体的に移動しながら掻き上げた藻類の如き海底堆積物を受けて回収するための回収かごを、上記船体の船首側の２つの胴体部間の開口部に位置させて係止させるようにし、更に、上記海底堆積物を受けて満杯となった回収かごを運搬するための上記船体より切り離されている運搬船と、該回収かごに付ける浮きを用いて海底堆積物を回収するようにしたことを特徴とする海底堆積物回収装置。
【請求項２】
掻き上げコンベヤの下端部に、掻き取った藻類の如き海底堆積物を方向転換するときに逃がすことなく上方へ搬送できるように該掻き上げコンベヤの下端部を覆うように湾曲形状とし且つスリットを適宜穿設したストッパプレートを取り付けた請求項１記載の海底堆積物回収装置。
【請求項３】
双胴型とした船体の２つの胴体部間に形成した開口部に、ベルトの表面部に多数のレーキを所要の配列ピッチで取り付けた掻き上げコンベヤを通して一端部を船体上に位置させて他端部を没水させるようにし、船体の船首側甲板上に設置した支持台に、上記掻き上げコンベヤの上端側を上下方向へ回動自在に支持させ、且つ該掻き上げコンベヤの下端側を海底まで降ろして、掻き上げコンベヤの下端部に、該掻き上げコンベヤの下端部を海底から一定の高さ位置に保持させるためのスキー板を揺動自在に取り付けて上記レーキが海底に直接接しないようにすると共に、上記掻き上げコンベヤの下端部付近を除く下面側を覆うように、平板状のガイドプレートを取り付けて、掻き上げコンベヤをガイドプレートに沿い上る方向に回動させるようにし、船体とともに掻き上げコンベヤがスキー板と一体的に移動しながら掻き上げた藻類の如き海底堆積物を受けて回収するための回収かごを、上記船体の船首側の２つの胴体部間の開口部に位置させて係止させるようにし、更に、上記海底堆積物を受けて満杯となった回収かごを運搬するための上記船体より切り離されている運搬船と、該回収かごに付ける浮きを用いて海底堆積物を回収するようにしたことを特徴とする海底堆積物回収装置。
【請求項４】
双胴型とした船体の２つの胴体部間に形成した開口部に、ベルトの表面部に多数のレーキを所要の配列ピッチで取り付けた掻き上げコンベヤを通して一端部を船体上に位置させて他端部を没水させるようにし、船体の船首側甲板上に設置した支持台に、上記掻き上げコンベヤの上端側を上下方向へ回動自在に支持させ、且つ該掻き上げコンベヤの下端側を海底まで降ろして、掻き上げコンベヤの下端部に、該掻き上げコンベヤの下端部を海底から一定の高さ位置に保持させるためのスキー板を揺動自在に取り付けて上記レーキが海底に直接接しないようにし、上記掻き上げコンベヤの上端部付近に、該掻き上げコンベヤで掻き取った藻類の如き海底堆積物を掻き落すため掻き落し棒を櫛状にした掻き落し具又は掻き落し棒を回転ドラムの表面に備えて回転駆動式とした掻き落し具を設置し、該掻き落し具で掻き落された海底堆積物を受けて回収するための回収かごを、上記船体の船首側の２つの胴体部間の開口部に位置させて係止させるようにし、更に、上記海底堆積物を受けて満杯となった回収かごを運搬するための上記船体より切り離されている運搬船と、該回収かごに付ける浮きを用いて海底堆積物を回収するようにしたことを特徴とする海底堆積物回収装置。
【請求項５】
双胴型とした船体の２つの胴体部間に形成した開口部に、ベルトの表面部に多数のレーキを所要の配列ピッチで取り付けた掻き上げコンベヤを通して一端部を船体上に位置させて他端部を没水させるようにし、船体の船首側甲板上に設置した支持台に、上記掻き上げコンベヤの上端側を上下方向へ回動自在に支持させ、且つ該掻き上げコンベヤの下端側を海底まで降ろして、掻き上げコンベヤの下端部に、該掻き上げコンベヤの下端部を海底から一定の高さ位置に保持させるためのスキー板を揺動自在に取り付けて上記レーキが海底に直接接しないようにすると共に、掻き上げコンベヤの下端部に、掻き取った藻類の如き海底堆積物を方向転換するときに逃がすことなく上方へ搬送できるように該掻き上げコンベヤの下端部を覆うように湾曲形状とし且つスリットを適宜穿設したストッパプレートを取り付け、上記掻き上げコンベヤの上端部付近に、該掻き上げコンベヤで掻き取った藻類の如き海底堆積物を掻き落すため掻き落し棒を櫛状にした掻き落し具又は掻き落し棒を回転ドラムの表面に備えて回転駆動式とした掻き落し具を設置し、該掻き落し具で掻き落された海底堆積物を受けて回収するための回収かごを、上記船体の船首側の２つの胴体部間の開口部に位置させて係止させるようにし、更に、上記海底堆積物を受けて満杯となった回収かごを運搬するための上記船体より切り離されている運搬船と、該回収かごに付ける浮きを用いて海底堆積物を回収するようにしたことを特徴とする海底堆積物回収装置。
【請求項６】
双胴型とした船体の２つの胴体部間に形成した開口部に、ベルトの表面部に多数のレーキを所要の配列ピッチで取り付けた掻き上げコンベヤを通して一端部を船体上に位置させて他端部を没水させるようにし、船体の船首側甲板上に設置した支持台に、上記掻き上げコンベヤの上端側を上下方向へ回動自在に支持させ、且つ該掻き上げコンベヤの下端側を海底まで降ろして、掻き上げコンベヤの下端部に、該掻き上げコンベヤの下端部を海底から一定の高さ位置に保持させるためのスキー板を揺動自在に取り付けて上記レーキが海底に直接接しないようにすると共に、上記掻き上げコンベヤの下端部付近を除く下面側を覆うように、平板状のガイドプレートを取り付けて、掻き上げコンベヤをガイドプレートに沿い上る方向に回動させるようにし、上記掻き上げコンベヤの上端部付近に、該掻き上げコンベヤで掻き取った藻類の如き海底堆積物を掻き落すため掻き落し棒を櫛状にした掻き落し具又は掻き落し棒を回転ドラムの表面に備えて回転駆動式とした掻き落し具を設置し、該掻き落し具で掻き落された海底堆積物を受けて回収するための回収かごを、上記船体の船首側の２つの胴体部間の開口部に位置させて係止させるようにし、更に、上記海底堆積物を受けて満杯となった回収かごを運搬するための上記船体より切り離されている運搬船と、該回収かごに付ける浮きを用いて海底堆積物を回収するようにしたことを特徴とする海底堆積物回収装置。
【請求項７】
船体の没水部前面に藻類の繁殖、堆積状況を見るための水中テレビカメラを装備させた請求項１、２、３、４、５又は６記載の海底堆積物回収装置。
【発明の詳細な説明】
【０００１】
【発明の属する技術分野】
本発明は海底に繁殖、堆積している藻類の如き堆積物を回収する海底堆積物回収装置に関するものである。
【０００２】
【従来の技術】
富栄養化の進んだ閉鎖湾の海底には、アオサ等の藻類が繁殖、堆積している。これら藻類が浮上して海岸に打ち上げられると、海岸を汚すことになり、その除去に多大な費用が必要となり、又、藻類が海底に堆積していると海水を汚す原因にもなる。一方、海底に堆積した有用資源のアオサ等の藻類は食料品や飼料としての利用価値はある。そのため、海底に堆積しているアオサ等の藻類を回収することが従来より行われている。
【０００３】
海底に繁殖、堆積している藻類を回収する手段として、従来では水深の比較的浅いところでは採藻用の熊手を用いて人力で掻き取るようにしたり、機械式掻き取り機を用いて船上より海底の藻類を掻き取って回収したり、あるいは、ドレッジャー船により回収するようにしている。
【０００４】
【発明が解決しようとする課題】
ところが、上記熊手や機械式掻き取り機により回収する場合は、水深が比較的浅い海域でしか使用することはできず、又、ドレッジャー船の場合には、水深が比較的深い海域でも使用することはできるが、藻類の掻き取り時に藻体を損傷させ易く、商品価値を失わせる場合があり、しかも、他の砂や岩等の夾雑物まで引き上げてしまう問題がある。
【０００５】
そのため、最近、海底に延びるノズルから水流を発生させ、巻き上がった藻類を汲み上げるようにした回収装置が提案されているが、かかる回収装置を用いた場合、藻類と共に砂やごみも巻き上がってしまうため、周囲一体が汚濁してしまうという問題が惹起される。
【０００６】
そこで、本発明は、周囲を汚濁させることなく、水深が浅い海域であっても深い海域であっても、海底に繁殖、堆積している藻類等の回収を容易に行うことができるような海底堆積物回収装置を提供しようとするものである。
【０００７】
【課題を解決するための手段】
本発明は、上記課題を解決するために、双胴型とした船体の２つの胴体部間に形成した開口部に、ベルトの表面部に多数のレーキを所要の配列ピッチで取り付けた掻き上げコンベヤを通して一端部を船体上に位置させて他端部を没水させるようにし、船体の船首側甲板上に設置した支持台に、上記掻き上げコンベヤの上端側を上下方向へ回動自在に支持させ、且つ該掻き上げコンベヤの下端側を海底まで降ろして、掻き上げコンベヤの下端部に、該掻き上げコンベヤの下端部を海底から一定の高さ位置に保持させるためのスキー板を揺動自在に取り付けて上記レーキが海底に直接接しないようにし、船体とともに掻き上げコンベヤがスキー板と一体的に移動しながら掻き上げた藻類の如き海底堆積物を受けて回収するための回収かごを、上記船体の船首側の２つの胴体部間の開口部に位置させて係止させるようにし、更に、上記海底堆積物を受けて満杯となった回収かごを運搬するための上記船体より切り離されている運搬船と、該回収かごに付ける浮きを用いて海底堆積物を回収するようにした構成とする。
【０００８】
掻き上げコンベヤの下端側を海中に沈めてスキー板を海底に着地させた状態として、船体を移動させつつ掻き上げコンベヤを駆動すると、レーキによって掻き取られた藻類等が掻き上げコンベヤによって船体上まで搬送される。この際、レーキはスキー板の存在によって海底に直接接してないので夾雑物を巻き上げて周囲を汚濁させたり、夾雑物を回収してしまうことはない。又、掻き落された海底堆積物を受けて回収するための回収かごを備え、該回収かごに浮きで浮力をもたせ、上記船体より切り離されている運搬船で運ぶようにすることによって、回収した堆積物を能率よく運搬できる。
【０００９】
又、上記の構成において、掻き上げコンベヤの下端部に、掻き取った藻類の如き海底堆積物を方向転換するときに逃がすことなく上方へ搬送できるように該掻き上げコンベヤの下端部を覆うように湾曲形状とし且つスリットを適宜穿設したストッパプレートを取り付けると、掻き取った堆積物を下端部で逃がすことなく掻き上げコンベヤで運べることになる。
【００１０】
一方、掻き上げコンベヤの下端部にストッパプレートを設けることに代えて、掻き上げコンベヤの下端部付近を除く下面側を覆う位置に、平板状のガイドプレートを取り付け、掻き上げコンベヤをガイドプレートに沿い上る方向に回動するようにした場合は、レーキにて掻き取られた藻類等がガイドプレートに沿い掻き上げコンベヤによって船体上まで搬送される。
【００１２】
更に、船体の没水部前面に藻類の繁殖、堆積状況を見るための水中テレビカメラを装備させた構成とすることにより、海底の状況を見ながら船体を移動させることができるので、回収作業を効率よく行うことができる。
【００１３】
又、掻き上げコンベヤの上端部付近に、該掻き上げコンベヤで掻き取った藻類の如き海底堆積物を船体上に掻き落すため掻き落し棒を櫛状にした掻き落し具を設置した構成とすることにより、掻き上げコンベヤの上端部まで搬送された藻類等を自動的に掻き落して回収かごに回収させることができる。
【００１４】
更に、掻き落し棒を回転ドラムの表面に備えて回転駆動式とした掻き落し具を設置した構成とすることによって、藻類等の掻き落しをより能率的に行うことができるようになる。
【００１６】
【発明の実施の形態】
以下、本発明の実施の形態を図面を参照して説明する。
【００１７】
図１乃至図４は本発明の実施の一形態を示すもので、双胴型の船体１の２つの胴体部１ａの間に形成した開口部５に通して上端側を船体１上に、又、下端側を海底１９に達するように設置した掻き上げコンベヤ９により海底１９の藻類等の堆積物２を掻き上げて回収するようにしたものである。
【００１８】
すなわち、船外機４を備えている双胴型の船体１の左右の胴体部１ａの間の中央部に形成した開口部５に、堆積物２を掻き取って搬送させるようにする所要長さの掻き上げコンベヤ９を通して配置し、且つ上記開口部５の前部位置となる船体１の船首部甲板１ｂ上に、開口部５を跨ぐように支持台としての櫓６を設置すると共に、開口部５の後側となる船体１の船尾部甲板１ｂ上に、ウインチ７を設置した架台８とガイドシーブ１０を設置した台３とを固定し、上記櫓６の頂部に、上記掻き上げコンベヤ９の上端側となる一端部を支持させて、ガソリンエンジンの如き速度調整可能な駆動装置１２によって掻き上げコンベヤ９が駆動されるようにし、更に、該掻き上げコンベヤ９の下端側となる他端部を海水中に没水させるようにして、その下端部に、上記ウインチ７から繰り出して台３上のガイドシーブ１０に案内掛けしたロープ１１の先端を結着させ、ウインチ７の駆動でロープ１１を巻上下させることにより、掻き上げコンベヤ９下端側を船体１の上方位置へ引き上げたり、海中に沈めたりすることができるようにする。
【００１９】
上記掻き上げコンベヤ９は、図３及び図４に示す如く、左右のコンベヤフレーム１７の上端部間に設けた駆動ローラ１４と下端部間に設けた従動ローラ１５との間に、フレキシブルな搬送ベルト１６を無端状に掛け回し、該搬送ベルト１６の表面部に、海底１９の藻類の如き堆積物２を掻き取るため先端を前方へ屈曲させたレーキ１８を、ベルト幅方向に並べて取り付けると共にベルト１６の長手方向に所要の配列ピッチで取り付けた構成としてあり、上端側の駆動ローラ１４の軸両端を櫓６上の軸受１３に回転自在に支持させて、上記駆動装置１２を動力伝達機構３２を介して駆動ローラ１４の軸に連結させるようにしてある。
【００２０】
又、上記掻き上げコンベヤ９の下端側を海底１９から一定の高さ位置に保持できるようにするため、左右に配した２枚のスキー板２０の上面に固定した所要高さの支持プレート２１に従動ローラ１５の両軸端を回転自在に支持させて、下端部がスキー板２０に乗った状態で海底１９を引きずられるように移動して、下端部付近に位置するレーキ１８にて藻類の如き堆積物２を掻き取れるようにしてあり、更に、上記レーキ１８で掻き取った藻類の如き堆積物２を従動ローラ１５の部分で方向転換するときに逃がすことなく上方へ搬送できるようにするために、左右のコンベヤフレーム１７の下端部間を覆うように湾曲形状としたストッパプレート２２を取り付け、該ストッパプレート２２に、海水の流通を阻害しないようなスリットを適宜穿設した構成としてある。
【００２１】
更に、上記掻き上げコンベヤ９の上端側には、レーキ１８で掻き取って上方へ搬送されてきた藻類の如き堆積物２を掻き落すための掻き落し具としての掻き落し棒２３を、櫛状にして、幅方向に並ぶレーキ１８と干渉することなくレーキ１８間に入り込むように櫓６上に固定設置し、且つ該掻き落し棒２３で掻き落した藻類の如き堆積物２を受けて回収するための回収かご２４を、船首側の２つの胴体部１ａの間の開口部５に位置させて支持させるようにする。なお、上記回収かご２４は、予め、複数個を船体１上の適当な位置に搭載させておき、満杯になったものから順に、図５に一例を示す如く、浮き２７を付けて、別途用意しておいた運搬船２５にロープ２６により数珠継ぎにして運搬させるようにしてある。
【００２２】
更に、上記船体１の船首部には水中テレビカメラ２８を装備させ、船体１上のモニタ２９によって海底の状況をモニタリングできるようにする。
【００２３】
なお、上記掻き上げコンベヤ９は、水深や藻類の量に対応できるように、全長の異なるものや、レーキ１８の長さやピッチの異なるものを何台か用意しておき、作業対象となる海域の条件に合わせて使い分けるようにする。
【００２４】
海底１９に繁殖、堆積しているアオサ等の藻類の如き堆積物２の回収作業を行う場合には、作業対象となる海域に最も適した掻き上げコンベヤ９を、図１の一点鎖線で示す如く、船体１に搭載セットした状態として、船体１を船外機４の駆動によって目的地まで移動させる。船体１が目的地まで到達すると、ウインチ７のロープ１１を繰り出して掻き上げコンベヤ９の下端部側を、開口部５を通し海中に沈め海底１９に接地させるようにする。海底１９に接地した掻き上げコンベヤ９の下端部は、スキー板２０を履いた状態で所要高さ浮かされた状態で保持される。
【００２５】
かかる状態とした後、水中テレビカメラ２８によって撮影した画像をモニタ２９で見ながら船体１を所要速度で移動させながら駆動装置１２を駆動させて、掻き上げコンベヤ９を、掻き取った堆積物２を搬送できる矢印Ｘ方向に駆動させるようにする。これにより、掻き上げコンベヤ９の下端部付近で、海底に堆積している藻類の如き堆積物２が次々とレーキ１８により効率よく掻き取られて上方へ搬送されることになる。この際、掻き取られた藻類の如き堆積物２は下端側で方向転換するときストッパプレート２２で覆われているので、周囲に逃がされることなく上方へ掻き上げられる。
【００２６】
順次レーキ１８に引掛けられて上方へ運ばれた藻類の如き堆積物２は、掻き上げコンベヤ９の上端部で順次掻き取り棒２３により確実に掻き落されて下方位置に置かれた回収かご２４内に落されて回収されることになる。１つの回収かご２４が回収した堆積物２で満杯になると、次の回収かご２４を掻き上げコンベヤ９の上端部の下方位置にセットし、満杯の回収かご２４は浮き２７を付けて船体１より切り離して近くで待機している運搬船２５にロープ２６により継ぎ、以後同様な工程を繰り返すようにする。
【００２７】
多数の回収かご２４が運搬船２５に継がれると、運搬船２５により目的地の岸壁まで運搬し陸揚げするようにする。
【００２８】
上記において、船体１には水中テレビカメラ２８が装備させてあるので、藻類の繁殖、堆積状況を見ながら船体１を移動させることができ、したがって、能率よく作業を進めることができる。更に、掻き上げコンベヤ９の下端部にはスキー板２０が取り付けてあって、レーキ１８が海底１９と直接接しないようにしてあることから、藻類の如き堆積物を掻き取る際に海底の砂などを巻き上げることがなく、そのため、周囲を汚濁してしまうことがないと共に、砂などの夾雑物を藻類と一緒に回収してしまうことがなくなる。又、上記において、掻き上げコンベヤ９は上端部を支点に上下方向へ回動自在としてあるので、ウインチ７からロープ１１を或る程度余裕をもって繰り出しておけば、図１の実線や、二点鎖線、破線等で示すように、海底１９の深さが変化しても自在に追従させることができる。この際、ウインチ７から繰り出すロープ１１の張力を一定制御するようにしたり、掻き上げコンベヤ９の下端部に浮きを取り付けたりすることにより、掻き上げコンベヤ９の着地荷重を軽減させることができる。
【００２９】
次に、図６は本発明の他の実施の形態を示すもので、上記実施の形態で示したものと同様な構成において、掻き上げコンベヤ９の下端部に、湾曲形状としたストッパプレート２２を取り付けることに代えて、掻き上げコンベヤ９の左右のコンベヤフレーム１７間の下面側を覆うようにする平板状のガイドプレート３０を、下端部の所要領域を除いて取り付け、且つ上記搬送ベルト１６の移動方向を図４に示す方向とは反対のＹ方向とするようにして、各レーキ１８の向きをベルト１６の移動方向に合わせるようにしたものである。
【００３０】
図６に示すようにした場合には、掻き上げコンベヤ９の下端部付近でレーキ１８にて掻き取られた藻類の如き堆積物２がガイドプレート３０に沿わされて落下防止が図られて、搬送ベルト１６の下搬送部を通り船体１上に掻き上げられることになり、上端部で掻き落し棒２３で掻き落されて回収かご２４内に移される。
【００３１】
なお、上記実施の形態では、掻き上げコンベヤ９にて海底から掻き取って船体１上まで搬送した藻類の如き堆積物２を固定の掻き落し棒２３にて掻き落すようにした場合を示したが、たとえば、作業員の手作業で掻き落すようにしたり、あるいは、図７に一例を示す如く、ドラム３３に掻き落し棒２３を取り付けて、コンベヤ９の駆動方向とは逆方向に回転させるようにした回転駆動式の掻き落し具３１にて掻き落すようにしてもよく、特に、回転式の掻き落し具３１を用いた場合には能率よく確実に掻き落すことができて有利であり、又、実施の形態では、掻き上げコンベヤ９の下端部をウインチ７からのロープ１１で吊って掻き上げコンベヤ９の不使用時には船体１上に引き上げて格納しておける場合を示したが、上端側に起伏用シリンダを連結して掻き上げコンベヤ９を起伏させるようにしてもよいこと、その他本発明の要旨を逸脱しない範囲内において種々変更を加え得ることは勿論である。
【００３２】
【発明の効果】
以上述べた如く、本発明の海底堆積物回収装置によれば、次の如き優れた効果を発揮する。
（１）双胴型とした船体の２つの胴体部間に形成した開口部に、ベルトの表面部に多数のレーキを所要の配列ピッチで取り付けた掻き上げコンベヤを通して一端部を船体上に位置させて他端部を没水させるようにし、船体の船首側甲板上に設置した支持台に、上記掻き上げコンベヤの上端側を上下方向へ回動自在に支持させ、且つ該掻き上げコンベヤの下端側を海底まで降ろして、掻き上げコンベヤの下端部に、該掻き上げコンベヤの下端部を海底から一定の高さ位置に保持させるためのスキー板を揺動自在に取り付けて上記レーキが海底に直接接しないようにし、船体とともに掻き上げコンベヤがスキー板と一体的に移動しながら掻き上げた藻類の如き海底堆積物を受けて回収するための回収かごを、上記船体の船首側の２つの胴体部間の開口部に位置させて係止させるようにし、更に、上記海底堆積物を受けて満杯となった回収かごを運搬するための上記船体より切り離されている運搬船と、該回収かごに付ける浮きを用いて海底堆積物を回収するようにした構成としてあるので、掻き上げコンベヤの回動により深さの異なる海域に適用でき、又、掻き上げコンベヤの下端部をスキー板を介して海底を円滑に移動させることができることから、掻き上げコンベヤを所要方向に駆動することによってレーキにより藻類等を効率よく掻き取って船上へ搬送することができ、この際、スキー板の存在によってレーキが直接海底に接しないので、海底の砂等の夾雑物を巻き上がらせることがなくて周囲を汚濁してしまうことがなく、そのため、藻類等と共に夾雑物を混入させて回収してしまうことがない。更に、掻き上げコンベヤで掻き取って船体上に運ばれた藻類の如き海底堆積物を入れる回収かごを備え、且つ該回収かごに浮力をもたせて運搬船で運ぶようにすることによって、回収した堆積物を能率よく運搬することができる。
（２）掻き上げコンベヤの下端部に、掻き取った藻類の如き海底堆積物を方向転換するときに逃がすことなく上方へ搬送できるように該掻き上げコンベヤの下端部を覆うように湾曲形状とし且つスリットを適宜穿設したストッパプレートを取り付けることにより、掻き取った堆積物を下端部で逃がすことなくコンベヤで搬送することができる。
（３）掻き上げコンベヤの下端部にストッパプレートを設けることに代えて、掻き上げコンベヤの下端部付近を除く下面部を覆う位置に、平板状のガイドプレートを設けた場合には、掻き上げコンベヤを逆方向に駆動させることによって、掻き取った藻類等をガイドプレートに沿わせて船体上まで搬送することができる。
（４）船体の没水部前面に藻類の繁殖、堆積状況を見るための水中テレビカメラを装備させることにより、海底の藻類の繁殖、堆積状況を見ながら効率よく作業を進めることができる。
（５）掻き上げコンベヤの上端部付近に、幅方向に並ぶレーキ間に入り込むようにした掻き落し具を配置することによって、レーキにからみ付いた藻類等を確実に掻き落すことができる。
（６）掻き落し具を回転駆動式とすることによって、レーキにからみ付いた藻類等を更に能率よく確実に掻き落すことができる。
【図面の簡単な説明】
【図１】本発明の海底堆積物回収装置の実施の一形態を示す概略側面図である。
【図２】図１の平面図である。
【図３】図１のIII −III 方向拡大矢視図である。
【図４】図１のIV部拡大図である。
【図５】回収かごの運搬要領を示す概要図である。
【図６】本発明の他の実施の形態を示す掻き上げコンベヤの拡大側面図である。
【図７】回転駆動式掻き取り具の一例を示す平面図である。
【符号の説明】
１  船体
１ａ  胴体部
１ｂ  甲板
２  堆積物
５  開口部
６  櫓（支持台）
７  ウインチ
９  掻き上げコンベヤ
１１  ロープ
１８  レーキ
１９  海底
２０  スキー板
２２  ストッパプレート
２３  掻き落し棒（掻き落し具）
２４  回収かご
２８  水中テレビカメラ
３０  ガイドプレート
３１  掻き落し具
【図１】
0003702519.tif 000002
【図２】
0003702519.tif 000003
【図３】
0003702519.tif 000004
【図４】
0003702519.tif 000005
【図５】
0003702519.tif 000006
【図６】
0003702519.tif 000007
【図７】
0003702519.tif 000008